(57)【特許請求の範囲】
【請求項１】
記録媒体の表面に沿って延設されたサスペンションの一部を構成するフレクシャと、
前記フレクシャ上に設けられた半導体レーザとしての光源と、
前記記録媒体の表面と対向するように固定され、光束を用いて近接場光を発生するスライダと、
前記光源の前記フレクシャと接する面に設けられた第１の電極と、
前記光源の前記スライダに接する面に設けられた第２の電極と、
前記第１の電極と接触し、前記フレクシャの１表面に設けられたフレクシャ側導電性膜と、
前記第２の電極と接触し、前記スライダの１表面に設けられたスライダ側導電性膜とを備え、
前記フレクシャ側導電性膜と前記スライダ側導電性膜とは、制御電源に接続されていることを特徴とする近接場光利用ヘッドジンバルアセンブリ。
【請求項２】
前記フレクシャ上に設けられたベースフィルムと、
前記制御電源に接続され、前記ベースフィルム上に設けられた複数本の電気配線とを備え、
前記光源は、前記電気配線を介して電気的に前記制御電源に接続されていることを特徴とする請求項１に記載の近接場光利用ヘッドジンバルアセンブリ。
【請求項３】
前記導電性膜が前記スライダの１表面の全面に設けられていることを特徴とする請求項１または２のいずれかに記載の近接場光利用ヘッドジンバルアセンブリ。
【請求項４】
前記電気配線と前記第１の電極は前記フレクシャを介して電気的に接続されていることを特徴とする請求項１から３のいずれかに記載の近接場光利用ヘッドジンバルアセンブリ。
【請求項５】
前記光源が傾斜反射面を有することを特徴とする請求項１から４のいずれかに記載の近接場光利用ヘッドジンバルアセンブリ。
【請求項６】
前記フレクシャ側導電性膜は、前記フレクシャの一部を構成することを特徴とする請求項１に記載の近接場光利用ヘッドジンバルアセンブリ。
【請求項７】
請求項１から請求項６のいずれかに記載の近接場光利用ヘッドジンバルアセンブリと、前記記録媒体と、前記制御電源と、を有する情報記録再生装置。
【発明の詳細な説明】
【技術分野】
【０００１】
本発明は、近接場光を利用して記録媒体に各種の情報を記録再生する近接場光利用ヘッドジンバルアセンブリ及びそれを備えた情報記録再生装置に関するものである。
【背景技術】
【０００２】
近年、コンピュータ機器におけるハードディスクドライブ等の情報記録再生装置は、より大量かつ高密度情報の記録再生を行いたい等のニーズを受けて、さらなる高密度化が求められている。そのため、隣り合う磁区同士の影響や、熱揺らぎを最小限に抑えるために、保磁力の強いものを記録媒体として採用することが考えられている。そのため、記録媒体に情報を記録することが困難になっていた。
【０００３】
そこで、上述した不具合を解消するために、近接場光を利用して磁区を局所的に加熱して一時的に保磁力を低下させ、その間に記録媒体への書き込みを行う熱アシスト磁気記録方式の情報記録再生装置が考案され開発が進められている。
【０００４】
熱アシスト磁気記録方式による情報記録再生装置には、近接場光を発生させるための近接場光素子およびそれを駆動させるための光学系が必要となる。これら近接場光素子と光学系は、各種のものが考案されている。
【０００５】
上記光学系の主要なものとして、光源となる半導体レーザが考えられる。例えば特許文献１および特許文献２に示されるように、この半導体レーザをヘッドを有するスライダに固定する構成が知られている。このような構成においては、光学系を構成する要素部品が少なくなるため、各要素部品間における光損失が少なくなり、よって比較的低損失でレーザ光を近接場光素子に供給することができると考えられている。
【先行技術文献】
【特許文献】
【０００６】
【特許文献１】特開２００８−５９６４５号公報
【特許文献２】特開２００７−３３５０２７号公報
【発明の概要】
【発明が解決しようとする課題】
【０００７】
しかしながら、上述の従来技術によるヘッドジンバルアセンブリでは、これを低コストに製造することが困難である。特許文献１においては図３や図８に示すように、半導体レーザを駆動するための２つの電極（ｐ電極およびｎ電極）を半導体レーザの片面に配置している。このような半導体レーザは特許文献１にも記載があるとおり一般的な構成ではなく、２つの電極を半導体レーザの上下面にそれぞれ配置するような一般的な構成に比べて製造コストが高い。また図８に示すように、半導体レーザの２つの電極にそれぞれ接続する２つの電気配線をスライダ上に設けている。このためにスライダ上に電気配線をパターニングする工程が必要となり、製造コスト上昇につながる。
【０００８】
また、特許文献２においては、２つの電極を上下面にそれぞれ配置するような一般的な構成の半導体レーザを用いているが、両電極を片面に引き出すための部材（ユニット基板）を用いており、追加コストを要求する。
【０００９】
そこで本発明は、このような事情に考慮してなされたもので、その目的は、一般的な電極構成の半導体レーザを用いつつ、容易に電気的接続を実現できる構成を提案し、それにより低コストで製造できる近接場光利用ヘッドジンバルアセンブリおよび情報記録再生装置を提供することである。
【課題を解決するための手段】
【００１０】
本発明は、上記目的を達成するために、以下の手段を提供する。
本発明に係る近接場光利用ヘッドジンバルアセンブリは、記録媒体の表面に沿って延設されたサスペンションの一部を構成するフレクシャと、フレクシャ上に設けられた光源と、記録媒体の表面と対向するように固定され光束を用いて近接場を発生するスライダと、光源のフレクシャと接する面に設けられた第１の電極と、光源のスライダに接する面に設けられた第２の電極と、第1の電極と接触しフレクシャ側に設けられたフレクシャ側導電性膜と、第２の電極と接触しスライダの１表面に設けられたスライダ側導電性膜とを備え、フレクシャ側導電性膜とスライダ側導電性膜とは、制御電源に接続されていることを特徴とするものである。なお、フレクシャ上に設けられたベースフィルムと、制御電源に接続され、ベースフィルム上に設けられた複数本の電気配線とを備え、光源は電気配線を介して電気的に電気配線に接続されていることを特徴とするものである。
【００１１】
本発明に係る近接場光利用ヘッドジンバルアセンブリにおいては、光源がその両面に第１の電極と第２の電極をそれぞれ有するため、片面に両電極を配置した光源に比べて製造工程が少なくできるため低コストに製造することができ、ひいてはこの光源を用いたヘッドジンバルアセンブリを低コストに製造することができる。つまり、光源の第１の電極及び第２の電極を挟み込むようにして、フレクシャ側導電性膜及びスライダ側導電性膜の間に光源を備えるだけで、フレクシャ及びスライダ周辺において光源の電気的な接続を行うことができるため、光源を用いたヘッドジンバルアセンブリを低コストに製造することができる。
【００１２】
また、本発明に係る近接場光利用ヘッドジンバルアセンブリは、導電性膜がスライダの１表面の全面に設けられていることを特徴とするものである。
【００１３】
本発明に係る近接場光利用ヘッドジンバルアセンブリにおいては、導電性膜は単純な膜であれば良く、パターニングの必要がない。よって、ヘッドジンバルアセンブリを低コストに製造することができる。
【００１４】
また、本発明に係る近接場光利用ヘッドジンバルアセンブリは、電気配線と第１の電極はフレクシャを介して電気的に接続されていることを特徴とするものである。
【００１５】
本発明に係る近接場光利用ヘッドジンバルアセンブリにおいては、電気配線と第１の電極との電気的接続をフレクシャを介しておこなっているため、別途配線もしくは電極を用意する必要がない。よって、ヘッドジンバルアセンブリを低コストに製造することができる。
【００１６】
また、本発明に係る近接場光利用ヘッドジンバルアセンブリは、光源が半導体レーザであることを特徴とするものである。
【００１７】
本発明に係る近接場光利用ヘッドジンバルアセンブリにおいては、安価な光源を用いることができるため、ヘッジジンバルアセンブリを低コストに製造することができる。
【００１８】
また、本発明に係る近接場光利用ヘッドジンバルアセンブリは、光源が傾斜反射面を有することを特徴とするものである。
【００１９】
本発明に係る近接場光利用ヘッドジンバルアセンブリにおいては、容易に光源とスライダとの位置合わせが可能となり、結果低コストにヘッドジンバルアセンブリを製造することができる。なお、フレクシャ側導電性膜は、フレクシャの一部を構成していてもよい。
【００２０】
また、本発明に係る情報記録再生装置は、上記本発明の近接場光利用ヘッドジンバルアセンブリと、前記記録媒体と、前記制御電源と、を有するものである。
【００２１】
本発明に係る情報記録再生装置においては、本発明の近接場光利用ヘッドジンバルアセンブリを備えているので、低コストに製造することができる。
【発明の効果】
【００２２】
本発明に係る近接場光利用ヘッドジンバルアセンブリによれば、半導体レーザの一般的な電極構成を用いつつ、容易に電気的接続を実現できる構成を提供し、それにより低コストで製造できる情報記録再生装置を提供することができる。
【図面の簡単な説明】
【００２３】
【図１】本発明の第１実施形態に係る情報記録再生装置を示す構成図である。
【図２】図１に示すヘッドジンバルアセンブリの斜視図である。
【図３】図２に示すパッド部２０４ａ近傍の拡大図である。
【図４】図３のＡ−Ａ’線に沿う断面図である。
【図５】本発明の第２実施形態に係るパッド部２０４ａ近傍の拡大図である。
【図６】図５のＢ−Ｂ’線に沿う断面図である。
【図７】本発明の第３実施形態に係るパッド部２０４ａ近傍の拡大図である。
【図８】図７のＣ−Ｃ’線に沿う断面図である。
【発明を実施するための形態】
【００２４】
（第１実施形態）
以下、本発明に係る第１実施形態を、図１から図４を参照して説明する。図１は、本実施形態に係る情報記録再生装置１を示す構成図である。なお、本実施形態の情報記録再生装置１は、磁気記録層を有する記録媒体Ｄに対して、熱アシスト磁気記録方式で書き込みを行う装置である。
【００２５】
図１に示すように本実施形態の情報記録再生装置１において、スライダ２が固定されたサスペンション３が、キャリッジ１１に固定されている。スライダ２とサスペンション３を合わせて、ヘッドジンバルアセンブリ１２（近接場光利用ヘッドジンバルアセンブリ）と呼ぶ。円盤状の記録媒体Ｄはスピンドルモータ７によって所定の方向に回転する。キャリッジ１１はピボット１０を中心に回転可能になっており、制御部５からの制御信号によって制御されるアクチュエータ６によって回転し、スライダ２を記録媒体Ｄ表面の所定の位置に配置することができる。ハウジング９はアルミニウムなどから成る箱状（図１では説明を分かりやすくするため、ハウジング９の周囲を取り囲む周壁を省略している）のものであり、上記の部品をその内部に格納している。スピンドルモータ７はハウジング９の底面に固定されている。スライダ２は記録媒体Ｄに向けて磁場を発生させる記録素子（図示略）と、近接場光を発生する導光部（図示略）と、記録媒体Ｄに記録された情報を再生する再生素子（図示略）を有している。記録素子と再生素子は、サスペンション３およびキャリッジ１１に沿って敷設されたフレキシブル配線１３、キャリッジ１１側面に設けられたターミナル１４およびフラットケーブル４を介して制御部５に接続されている。
【００２６】
記録媒体Ｄは１枚でも良いが、図１に示すように複数枚設けても良い。記録媒体Ｄの枚数が増えれば、ヘッドジンバルアセンブリ１２の個数も増加する。図１では記録媒体Ｄの片面側のみにヘッドジンバルアセンブリ１２が設けられている構成を示しているが、両面に設けても良い。よって、ヘッドジンバルアセンブリ１２の個数は、最大で記録媒体Ｄの枚数の倍になる。これにより、情報記録再生装置１台当たりの記録容量の増加を図ることができる。
【００２７】
図２は第１実施形態に係るヘッドジンバルアセンブリ１２の拡大図である。サスペンション３は、ステンレス薄板を材料とするベースプレート２０１、ヒンジ２０２、ロードビーム２０３、フレクシャ２０４からなる。ベースプレート２０１は、その一部に設けられた取り付け穴２０１ａにより、キャリッジ１１に固定されている。ヒンジ２０２はベースプレート２０１とロードビーム２０３を接続している。ヒンジ２０２はベースプレート２０１とロードビーム２０３よりも薄くなっており、ヒンジ２０２を中心としてサスペンション３がたわむようになっている。フレクシャ２０４はロードビーム２０３、ヒンジ２０２に固定された細長い部材であり、ロードビーム２０３やベースプレート２０１よりも薄くなっており、たわみやすく出来ている。フレクシャ２０４の先端には略直方体形状のスライダ２が固定されている。
【００２８】
スライダ２の表面のうちフレクシャ２０４に固定された面の反対面は、記録媒体Ｄに対向する面である。この面は回転する記録媒体Ｄによって生じた空気流の粘性から、スライダ２が浮上するための圧力を発生させる面であり、ＡＢＳ（Ａｉｒ  Ｂｅａｒｉｎｇ  Ｓｕｒｆａｃｅ）と呼ばれている。ＡＢＳ上には図示を略した凹凸形状が設けられており、スライダ２と記録媒体Ｄ間に所望の圧力分布を発生させている。スライダ２を記録媒体Ｄから離そうとする正圧とスライダ２を記録媒体Ｄに引き付けようとする負圧と、サスペンション３による押しつけ力の釣り合いで、スライダ２は所望の状態で浮上している。記録媒体Ｄとスライダ２のすきまの最低値は１０ｎｍ程度もしくはそれ以下となっている。サスペンション３による押しつけ力は主にヒンジ２０２の弾性により発生している。また、記録媒体Ｄ表面のうねりに対して、ヒンジ２０２およびフレクシャ２０４がたわむことで、所望の浮上状態を維持することが出来る。
【００２９】
フレクシャ２０４上にはフレキシブル配線１３が設けられている。フレクシャ２０４は略コ字状の開口部を有しており、この開口部に囲まれて舌状となったパッド部２０４ａ上に後述のレーザ３０３等を挟み込んでスライダ２が固定されている。スライダ２の端部のうち、サスペンション３の根本側（キャリッジ１１側）は流入端と呼ばれている。その反対のサスペンション３の先端側は、スライダ２の流出端と呼ばれている。これらは、前述の記録媒体Ｄによる空気流の方向に基づいて名付けられている。サスペンション３の根本側から延設されたフレキシブル配線１３は途中から２本に分岐し、前述の開口部およびスライダ２の両側を回り込むように、スライダ２の流出端側に接続されている。なお、フレクシャ側導電性膜は、本実施形態ではパッド部２０４ａの一部を構成する。
【００３０】
図３は第１実施形態に係るパッド部２０４ａ近傍の拡大図である。図４は図３のＡ−Ａ’断面である。フレキシブル配線１３はベースフィルム３０１と、それに載る６本の金属配線３０２からなる。ベースフィルム３０１はポリイミド等の樹脂からなる。金属配線３０２は銅からなり、表面が金メッキされている。ベースフィルム３０１は金属配線３０２とフレクシャ２０４とを絶縁している。また、図示はしていないが金属配線３０２の一部は保護のためにポリイミド等の樹脂で覆われている。６本の金属配線３０２のうち４本はスライダ２に設けられた記録素子（図示略）および再生素子（図示略）にそれぞれ２本ずつ接続されている。ただし、金属配線３０２の本数は６本に限られるものではなく、必要に応じて増減することができる。
【００３１】
また、パッド部２０４ａ上には平面視コの字状のレーザガイド３０４が配置されている。レーザガイド３０４はベースフィルム３０１と同材料、同厚となっている。そのためレーザガイド３０４とベースフィルム３０１は同時に形成することができる。レーザ３０３は平面視コの字状のレーザガイド３０４にはまりこむようになっており、位置決めが容易になっている。レーザ３０３は端面発光レーザであるため、その側面からレーザ光が出射する。レーザガイド３０４はレーザ３０３側面からのレーザ光出射を妨げないようになっている。レーザ３０３の厚さはレーザガイド３０４と等しい。スライダ２はベースフィルム３０１の一部とレーザ３０３およびレーザガイド３０４に載るように固定される。ベースフィルム３０１の端面のうち、レーザ３０３に対向する面は、レーザ３０３からの出射光の光軸方向に対して４５度傾斜した斜平面になっており、この斜平面に金属被膜することでミラー面３０１ａとなっている。被膜の金属はアルミニウムや金を用いる。よって、スライダ２とパッド部２０４ａに挟まれるように設置されたレーザ３０３から出射した光は、ミラー面３０１ａにて９０度曲げられて、スライダ２の内部に設けられた近接場光素子（図示略）を有する導光部３０６に導入される。
【００３２】
レーザ３０３はパッド部２０４ａと接する面にカソード電極３０３ａを有し、スライダ２に接する面にアノード電極３０３ｂを有する。また、スライダ２はアノード電極３０３ｂに接する面に電極２ａ（スライダ側導電性膜）を有する。電極２ａはその一部がスライダ２の側面に突出部２ｂを有している。突出部２ｂと６本の金属配線３０２のうち磁極および再生素子に接続されていない１本の電気配線３０２ａとは、ボール３０５によるボールボンディングにより電気的に接続されている。６本の金属配線３０２のうち残る１本の電気配線３０２ｂはベースフィルム３０１上から延設されてパッド部２０４ａに接触している。カソード電極３０３ａおよびアノード電極３０３ｂは金などの金属からなっている。また電極２ａも導電性の材料からなっており、例えばスズを用いるとアノード電極３０３ｂと金スズ接合が可能となり都合が良い。ボール３０５は金や半田などの金属からなっている。よって、制御部５からの電気信号は電気配線３０２ａ、ボール３０５、電極２ａ、アノード電極３０３ｂを介して、および電気配線３０２ｂ、パッド部２０４ａ、カソード電極３０３ａを介して、レーザ３０３を駆動する。レーザ３０３からの光は導光部３０６に導入され、近接場光となってディスクＤの微小領域を加熱することで、熱アシスト磁気記録を実現する。
【００３３】
本実施の形態によって、レーザ３０３はその両面にカソード電極３０３ａとアノード電極３０３ｂをそれぞれ有するため、片面に両電極を配置したレーザに比べて製造工程が少なくできるため低コストに製造することができ、ひいてはこのレーザ３０３を用いたヘッドジンバルアセンブリ１２および情報記録再生装置１を低コストに製造することができる。つまり、レーザ３０３のカソード電極３０３ａ及びアノード電極３０３ｂを挟み込むようにして、パッド部２０４ａ及びスライダ２の電極２ａの間にレーザ３０３を備えるだけで、フレクシャ２０４及びスライダ２周辺においてレーザ３０３の電気的な接続を行うことができるため、レーザ３０３を用いたヘッドジンバルアセンブリ１２および情報記録再生装置１を低コストに製造することができる。
【００３４】
また、レーザ３０３はその両面にカソード電極３０３ａとアノード電極３０３ｂをそれぞれ有するため、それらに接続されるスライダ２表面の電極２ａは単純な膜であれば良く、パターニングの必要がない。よって、ヘッドジンバルアセンブリ１２および情報記録再生装置１を低コストに製造することができる。
【００３５】
また、カソード電極３０３ａと電気配線３０２ｂとの電気的接続をパッド部２０４ａを介しておこなっているため、別途電極を用意する必要がない。よって、ヘッドジンバルアセンブリ１２および情報記録再生装置１を低コストに製造することができる。
【００３６】
（第２実施形態）
以下、本発明に係る第２実施形態を、図５と図６を参照して説明する。第１実施形態と同一箇所については同一符号を付して詳細な説明を省略する。本実施形態が第１実施形態と異なる点は、レーザが傾斜面を有し、よってベースフィルム側面に反射面を設けなくて良い点である。
【００３７】
図５は第２実施形態に係るパッド部２０４ａ近傍の拡大図である。図６は図５のＢ−Ｂ’断面である。フレキシブル配線１３はベースフィルム５０１と、それに載る６本の金属配線５０２からなる。ベースフィルム５０１はポリイミド等の樹脂からなる。金属配線５０２は銅からなり、表面が金メッキされている。ベースフィルム５０１は金属配線５０２とフレクシャ２０４とを絶縁している。また、図示はしていないが金属配線５０２の一部は保護のためにポリイミド等の樹脂で覆われている。６本の金属配線５０２のうち４本はスライダ２に設けられた記録素子（図示略）および再生素子（図示略）にそれぞれ２本ずつ接続されている。
【００３８】
また、パッド部２０４ａ上にはレーザ５０３が配置されている。レーザ５０３の厚さはベースフィルム５０１と等しい。スライダ２はベースフィルム５０１の一部とレーザ５０３に載るように固定される。レーザ５０３はその１側面が傾斜面５０３ｃを有している。傾斜面５０３ｃのためにレーザ５０３内部で光が曲げられ、レーザ５０３からの光はスライダ２方向に出射し、スライダ２の内部に設けられた近接場光素子（図示略）を有する導光部３０６に導入される。
【００３９】
レーザ５０３はパッド部２０４ａと接する面にカソード電極５０３ａを有し、スライダ２に接する面にアノード電極５０３ｂを有する。また、スライダ２はアノード電極５０３ｂに接する面に電極２ａを有する。電極２ａはその一部がスライダ２の側面に突出部２ｂを有している。突出部２ｂと６本の金属配線５０２のうち磁極および再生素子に接続されていない１本の電気配線５０２ａとは、ボール３０５によるボールボンディングにより電気的に接続されている。６本の金属配線５０２のうち残る１本の電気配線５０２ｂはベースフィルム５０１上から延設されてパッド部２０４ａに接触している。カソード電極５０３ａおよびアノード電極５０３ｂは金などの金属からなっている。また電極２ａも導電性の材料からなっており、例えばスズを用いるとアノード電極５０３ｂと金スズ接合が可能となり都合が良い。よって、制御部５からの電気信号は電気配線５０２ａ、ボール３０５、電極２ａ、アノード電極５０３ｂを介して、および電気配線５０２ｂ、パッド部２０４ａ、カソード電極５０３ａを介して、レーザ５０３を駆動する。レーザ５０３からの光は導光部３０６に導入され、近接場光となってディスクＤの微小領域を加熱することで、熱アシスト磁気記録を実現する。
【００４０】
本実施の形態によっても、第１実施形態と同様の効果を実現することができる。また、レーザ５０３が傾斜面５０３ｃを有しているため、容易にレーザ５０３と導光部３０６との位置合わせが可能となり、結果低コストにヘッドジンバルアセンブリ１２および情報記録再生装置１を製造することができる。
【００４１】
（第３実施形態）
以下、本発明に係る第３実施形態を、図７と図８を参照して説明する。第１実施形態および第２実施形態と同一箇所については同一符号を付して詳細な説明を省略する。本実施形態が第２実施形態と異なる点は、レーザがベースフィルムおよびベースフィルム上の電気配線上に設けられている点である。
【００４２】
図７は第３実施形態に係るパッド部２０４ａ近傍の拡大図である。図８は図７のＣ−Ｃ’断面である。フレキシブル配線１３はベースフィルム７０１と、それに載る６本の金属配線７０２からなる。ベースフィルム７０１はポリイミド等の樹脂からなる。金属配線７０２は銅からなり、表面が金メッキされている。ベースフィルム７０１は金属配線７０２とフレクシャ２０４とを絶縁している。また、図示はしていないが金属配線７０２の一部は保護のためにポリイミド等の樹脂で覆われている。６本の金属配線７０２のうち４本はスライダ２に設けられた記録素子（図示略）および再生素子（図示略）にそれぞれ２本ずつ接続されている。
【００４３】
ベースフィルム７０１はスライダ２の平面サイズと略同サイズでパッド部２０４ａ上にまで延設された延設部７０１ａを有している。６本の金属配線７０２のうち磁極および再生素子に接続されていない１本の電気配線７０２ｂは延設部７０１ａ上にまで延設されてその先端はスライダ２の平面サイズと略同サイズの電極となっている。延設部７０１ａ上に載る電気配線７０２ｂ上にはレーザ５０３が配置されている。スライダ２はレーザ５０３に載るように固定される。レーザ５０３からの光はスライダ２方向に出射し、スライダ２の内部に設けられた近接場光素子（図示略）を有する導光部３０６に導入される。なお、フレクシャ側導電性膜は、電気配線７０２ｂの一部を構成する。
【００４４】
電極２ａの突出部２ｂと６本の金属配線５０２のうち磁極および再生素子に接続されていない残り１本の電気配線７０２ａとは、ワイヤ７０３によるワイヤボンディングにより電気的に接続されている。よって、制御部５からの電気信号は電気配線７０２ａ、ワイヤ７０３、電極２ａ、アノード電極５０３ｂを介して、および電気配線７０２ｂ、カソード電極５０３ａを介して、レーザ５０３を駆動する。レーザ５０３からの光は導光部３０６に導入され、近接場光となってディスクＤの微小領域を加熱することで、熱アシスト磁気記録を実現する。
【００４５】
本実施の形態によっても、第２実施形態と同様の効果を実現することができる。また、レーザ５０３のカソード電極５０３ａと電気配線７０２ｂとを直接電気的に接続できるため、効率良くレーザ５０３を動作させることができる。
【００４６】
なお、本発明の技術範囲は、上述した実施形態に限定されるものではなく、本発明の趣旨を逸脱しない範囲において、上述した実施形態に種々の変更を加えたものを含む。すなわち、上述した実施形態で挙げた構成等はほんの一例に過ぎず、適宜変更が可能である。また、上述した各実施形態を適宜組み合わせて採用することも可能である。
【符号の説明】
【００４７】
Ｄ記録媒体  １情報記録再生装置  ２スライダ  ２ａ電極  ３サスペンション  １１キャリッジ  １２ヘッドジンバルアセンブリ  １３フレキシブル配線  ２０４フレクシャ  ２０４ａパッド部  ３０１ａミラー面  ３０２電気配線  ３０３レーザ  ３０３ａカソード電極  ３０３ｂアノード電極  ３０６導光部  ５０３レーザ
【図１】
0005592121.tif 000002
【図２】
0005592121.tif 000003
【図３】
0005592121.tif 000004
【図４】
0005592121.tif 000005
【図５】
0005592121.tif 000006
【図６】
0005592121.tif 000007
【図７】
0005592121.tif 000008
【図８】
0005592121.tif 000009